(57)【要約】【課題】  多数の対象物品に対して流れ作業で複数の長さの粘着テープを順に貼り付ける場合において、利用者に対して煩わしさを与えることがなく、より作業効率の高いオートカッターを提供する。【解決手段】  オートカッターは、記憶手段に記憶され、複数の所定の長さと切断する順番とを関連付けたパターンと、パターンに定められている順番でロール状に巻かれた粘着テープを所定の長さに切断する切断ユニットと、切断ユニットがパターンを繰り返えすように制御する制御手段とを備えたものである。【選択図】        図３
2005154125.tif 000002
【特許請求の範囲】
【請求項１】
記憶手段に記憶され、複数の所定の長さと切断する順番とを関連付けたパターンと、
該パターンに定められている順番でロール状に巻かれた粘着テープを所定の長さに切断する切断手段と、
該切断手段が前記パターンを繰り返すように制御する繰返し制御手段と
を備えることを特徴とするオートカッター。
【請求項２】
切断される前記粘着テープの長さを測定する測定手段をさらに備え、
前記切断手段は、
前記パターンの切断すべき長さと前記測定手段による測定値とが一致すると、前記粘着テープを切断することを特徴とする請求項１に記載のオートカッター。
【請求項３】
前記記憶手段は、
前記繰返し制御手段の繰り返す回数をさらに記憶し、
前記繰返し制御手段は、
前記記憶手段に記憶された前記回数に基づいて、前記切断手段に前記パターンを繰り返させることを特徴とする請求項１または請求項２に記載のオートカッター。
【請求項４】
前記パターンの切断する順番を一つ戻させたのち、再度、前記パターンに定められている順番で前記粘着テープを所定の長さに切断させる修正スイッチをさらに備えることを特徴とする請求項１から請求項３までのいずれか一つに記載のオートカッター。
【発明の詳細な説明】
【技術分野】
【０００１】
本発明は、オートカッターに関するものである。特に、ロール状に形成された粘着テープを所定の長さで切断することが可能なオートカッターに関するものである。
【背景技術】
【０００２】
従来から、ロール状に巻かれて形成された粘着テープを必要な長さだけ剥離させて切断する際に、オートカッターが利用されている。このオートカッターは、通常、粘着テープを回転可能に保持する保持機構と、粘着テープを端から剥離させて送るテープ送り機構と、そのテープ送り機構により送られた粘着テープを所定箇所で切断する切断機構とを主に備えており、粘着テープを予め設定された長さに整えることが可能なものである（例えば特許文献１など参照）。
【０００３】
【特許文献１】特開２００１−１０７６１号公報
【発明の開示】
【発明が解決しようとする課題】
【０００４】
ところで、このようなオートカッターは、各種商品などの梱包や各種物品の組み立てなどの作業に利用されることが特に多い。このような作業においては、例えば、一つの対象物品に対して、１０ｃｍ、１５ｃｍ、２０ｃｍというように複数の互いに長さの異なる粘着テープをそれぞれ順に貼り付ける作業を行うことがある。また、対象物品が多数存在する場合はこのような貼り付け作業を流れ作業で何度も繰り返さなければならない。しかし、従来のオートカッターでは、長さの異なる粘着テープを作製しようとする毎に、設定されている長さを変更する必要があるので、一つの対象物品に対して何度も長さ変更を行わねばならず、また、対象物品が多数存在する場合は同じ長さ変更を何度も繰り返さなければならない。よって、利用者は長さ変更に伴って煩わしさを感じていた。また、作業の効率性や正確性という点からも問題があった。
【０００５】
これらの問題を解決するために、梱包や組み立てなどの作業に先立って、互いに長さの異なる粘着テープのセットを予め多数作製しておくことがある。しかし、この場合、粘着テープのセットを作製する工程が増えることになるため、作業効率が著しく落ちることになるという問題があった。また、梱包や組み立てなどの作業時に、オートカッターを複数用意するとともに、オートカッターそれぞれに互いに異なる長さを設定して利用することもある。しかし、この場合、オートカッターを何台も用意しなければならないことから場所をとり、梱包や組み立てなどの作業を行う場所が狭くなるという問題があった。このように、これらの方策ではいずれも問題の根本的解決には至らなかった。
【０００６】
さらに、このようなオートカッターは、利用者が操作部などから動作を指示すると、粘着テープを一つ分ずつ送出機に送り出すものであるため、各種物品の組み立て作業時など、複数の粘着テープのセットを多数必要とする場合、操作部において何度も動作を指示しなければならないことから、利用者に対して煩わしさを与えることになり、作業の効率性という点からも問題があった。
【０００７】
本発明は上記の実情を鑑み、多数の対象物品に対して流れ作業で複数の長さの粘着テープを順に貼り付ける場合において、利用者に対して煩わしさを与えることがなく、より作業効率の高いオートカッターの提供を課題とするものである。
【課題を解決するための手段】
【０００８】
上記の課題を解決するため、本発明にかかるオートカッターは、記憶手段に記憶され、複数の所定の長さと切断する順番とを関連付けたパターンと、該パターンに定められている順番でロール状に巻かれた粘着テープを所定の長さに切断する切断手段と、該切断手段が前記パターンを繰り返すように制御する繰返し制御手段とを備えることを主な特徴とするものである。
【０００９】
したがって、本発明のオートカッターによれば、記憶手段からパターンを読み出し、そのパターンに基づいて切断手段が動作することになる。具体的には、切断手段は、パターンに含まれる第一番目の所定の長さ分だけ粘着テープを切断する。続いて、切断手段は、パターンに含まれる第二番目の粘着テープの長さ分だけ粘着テープを切断する。さらに、パターンに第三番目以降の所定の長さが含まれる場合、切断手段は、同様の動作を行うことになる。そして、繰返し制御手段によって、切断手段は、このようにして構成される一つのパターンを繰り返すことになる。
【００１０】
このように、本発明のオートカッターは、一台で複数の長さの粘着テープのセットを、利用者の貼り付け作業に合わせて自動的に作製することができる。また、複数の長さの粘着テープのセットを、利用者の貼り付け作業に合わせて何組も自動的に作製できる。このため、各種物品の組み立て作業時などに、多数の対象物品に対して流れ作業で複数の長さの粘着テープを順に貼り付ける場合において、利用者に対して煩わしさを感じさせることがなく、また、作業効率を高めることができる。
【００１１】
本発明にかかるオートカッターは、上記の構成に加え、切断される前記粘着テープの長さを測定する測定手段をさらに備え、前記切断手段は、前記パターンの切断すべき長さと前記測定手段による測定値とが一致すると、前記粘着テープを切断するものであってもよい。
【００１２】
したがって、本発明のオートカッターによれば、上記の作用に加え、測定手段によって切断される粘着テープの長さが測定されることになり、パターンの切断すべき長さと測定手段による測定値とが一致すると、切断手段が粘着テープを切断することになる。
【００１３】
このように、本発明のオートカッターは、上記の効果に加え、測定手段によって切断される粘着テープの長さが測定されることで、作製される粘着テープの長さがパターンに定められた切断すべき長さに対してより正確にできる。
【００１４】
本発明にかかるオートカッターは、上記の構成に加え、前記記憶手段は、前記繰返し制御手段の繰り返す回数をさらに記憶し、前記繰返し制御手段は、前記記憶手段に記憶された前記回数に基づいて、前記切断手段に前記パターンを繰り返させるものであってもよい。
【００１５】
したがって、本発明のオートカッターによれば、上記の作用に加え、記憶手段からパターンとともに回数を読み出し、その回数に到達するまで、一つのパターンを切断手段に繰り返して動作させることになる。
【００１６】
このように、本発明のオートカッターは、上記の効果に加え、貼り付け作業を行う対象物品の個数に合わせて回数を設定すれば、複数の長さの粘着テープの組を対象物品の個数に合わせて作製することができる。すなわち、各種物品の組み立て作業時など、利用者の貼り付け作業が終了すれば、自動的に粘着テープの作製も終了することになり、複数の粘着テープの組を貼り付け作業を行う対象物品より多く作製したり少なく作製したりする間違いを防止できる。
【００１７】
本発明にかかるオートカッターは、上記の構成に加え、前記パターンの切断する順番を一つ戻させたのち、再度、前記パターンに定められている順番で前記粘着テープを所定の長さに切断させる修正スイッチをさらに備えるものであってもよい。
【００１８】
したがって、本発明のオートカッターによれば、上記の作用に加え、切断手段が粘着テープを切断する際、パターンに定められている順番で所定の長さに切断するのみならず、修正スイッチからの指示があれば、それに基づいて、パターンの切断する順番を一つ戻り、一つ前の順番から再度、パターンに定められている順番で所定の長さに切断することが可能となる。なお、これは、例えば、修正スイッチからの指示が連続的に二回あればパターンの切断する順番を二つ戻るといったように、修正スイッチからの指示の回数分だけパターンの切断する順番を戻るものである。
【００１９】
このように、本発明のオートカッターは、上記の効果に加え、パターンを基に粘着テープを切断している間、例えば、オートカッターが誤動作を起こして正常に粘着テープが得られなかった場合、又は、利用者が粘着テープを対象物に貼り間違えた場合など、パターンに含まれる所定の長さの粘着テープがもう一度必要となった際に所望の粘着テープを容易に得ることができ、また、それに続いて滞りなく作業を継続することができる。
【発明の効果】
【００２０】
以上のように、本発明のオートカッターは、多数の対象物品に対して流れ作業で複数の長さの粘着テープを順に貼り付ける場合において、利用者に対して煩わしさを与えることがなく、より作業効率の高いオートカッターを提供できる。
【発明を実施するための最良の形態】
【００２１】
以下、本発明を実施するための最良の一実施形態であるオートカッター１について、図１から図３までに基づき説明する。本実施形態のオートカッター１は、各種商品などの梱包や各種物品の組み立てなどの作業に、ロール状に巻かれて形成された粘着テープ２を必要な長さだけ切断するものである。
【００２２】
先ず、本実施形態のオートカッター１の構成について図１及び図２に基づき説明する。オートカッター１は、図１及び図２に示すように、オートカッター本体３と、リールユニット４と、引出ユニット５と、切断ユニット６と、操作部７と、表示部８と、制御手段９と、記憶手段１０と、バス１１とを主に備えている。なお、図１は、オートカッター１の構成を示す斜視図であり、図２は、オートカッター１の機能的構成を示すブロック図である。
【００２３】
オートカッター本体３は、内部に各種物品を収納するカバーを含むものであり、粘着テープ２を収容する凹状のテープ収容部１２を備えている。また、オートカッター本体３の上面には、操作部７・表示部８などが設けられ、オートカッター本体３の側面には、引出ユニット５が設けられている。このほか、図示は省略するが、オートカッター本体３は、電源をＯＮ／ＯＦＦするための電源スイッチ、静電気の発生を防止するアース線を接続するためのアースコネクタなども備えている。
【００２４】
リールユニット４は、粘着テープ２の内径と同じ径の円柱状に形成され、粘着テープ２を外郭に嵌めこんで回転可能に保持するものである。なお、このリールユニット４は、オートカッター本体３の後方へ引き抜くことによって、オートカッター本体３から取り外すことが可能である。また、リールユニット４は、径の異なるリールユニットを複数用意しておくことにより、粘着テープ２の内径にリールユニット４が合わない際に交換して対応することができる。
【００２５】
引出ユニット５は、リールユニット４に回転可能に保持されている粘着テープ２を端から引き出すものであり、粘着テープ２の粘着面に接して粘着テープ２を引き出す引出ローラ１３と、引出ローラ１３を駆動させる引出モータ１４と、引出モータ１４の回転数を測定する回転計１５と、引出ローラ１３から粘着テープ２を剥離させる剥離ローラ（図示省略）とを主に備えている。なお、この引出ユニット５は、オートカッター本体３から取り外して交換することが可能である。ここで、回転計１５が本発明の測定手段に相当する。
【００２６】
切断ユニット６は、引出ユニット５によって引き出されてきた粘着テープ２を切断するものであり、上下にそれぞれ配設された二枚のカッター１６と、カッター１６を駆動させるカッターモータ１７と、二枚のカッター１６の付近の粘着テープ２の存在の有無を検知するセンサー１８と、センサー１８がテープ以外の異物を検知した場合、カッター１６の動作を停止させる安全装置１９とを主に備えている。なお、カッター１６は、オートカッター本体３から取り外して交換することが可能である。ここで、切断ユニット６が本発明の切断手段に相当する。
【００２７】
操作部７は、利用者がオートカッター１に対して指示を与えるための操作を行う部分であり、粘着テープ２の長さを設定するサイズボタン２０と、後述のパターンＰを繰り返す回数を設定する回数ボタン２１と、引出ローラ１３の逆回転を指示するリバースボタン２２と、引出ローラ１３の回転を指示する引出ボタン２３と、カッター１６の駆動を指示するカットボタン２４と、自動的な動作を指示するリターンボタン２５と、各種情報のリセットを指示するリセットボタン２６と、粘着テープ２の押さえ圧力の調節を指示する圧力つまみ２７とを主に備えている。表示部８は、利用者が操作部７からオートカッター１に対して指示を与える際に、切断される粘着テープ２の長さなど、様々な情報を表示するための部分である。
【００２８】
制御手段９は、操作部７やセンサー１８からの信号をバス１１を介して受信するとともに、記憶手段１０から各種のプログラム・データをバス１１を介して読み込んで、引出ユニット５・切断ユニット６・表示部８に対してバス１１を介して信号を出力するためのものである。なお、制御手段９の情報入力処理・切断処理の制御については後述する。ここで、制御手段９が本発明の繰返し制御手段に相当する。
【００２９】
記憶手段１０は、制御手段９が利用するプログラム・データを一時的または長期的に記憶するためのものである。記憶手段１０には、複数の所定の長さと切断する順番とを関連付けたパターンＰが記憶されている。このパターンＰは、利用者がオートカッター１に対して操作部７を介して入力したものである。また、記憶手段１０には、パターンＰを切断ユニット６が繰り返す回数Ｔも、パターンＰに関連付けて記憶されている。
【００３０】
ところで、本実施形態のオートカッター１において、粘着テープ２とは、片面剥離紙付き両面テープ、クレープテープ、セロテープ（登録商標）、クラフト粘着テープ、布粘着テープ、フィラメントテープなどを含むものとする。
【００３１】
次に、本実施形態のオートカッター１の情報入力処理の流れについて、図３（ａ）に基づいて説明する。なお、図３（ａ）は、オートカッター１の情報入力処理の流れを示すフローチャートである。制御手段９は、例えばサイズボタン２０の長押し入力があると情報入力モードを設定する（ステップＳ１においてＹＥＳ）。なお、サイズボタン２０の長押し入力がない場合は情報入力モードを設定しない（ステップＳ１においてＮＯ）。制御手段９は、情報入力モードが設定されたのちに、順番カウンタＫをリセットする（ステップＳ２）。また、順番カウンタＫがリセットされたのちに、順番カウンタＫを「１」インクリメントする（ステップＳ３）。
【００３２】
続いて、サイズボタン２０などにより利用者によって、先ず、パターンＰにおける第一番目の所定の長さＬ１が入力されると（ステップＳ４においてＹＥＳ）、制御手段９は記憶手段１０に所定の長さＬ１をパターンＰの第一番目のメモリーアドレスに記憶させる（ステップＳ５）。そして、ステップＳ６の処理に移り、パターンＰが完成しているか否かが判断され、完成していない場合は（ステップＳ６においてＮＯ）、ステップＳ３の処理に戻り、順番カウンタＫを「１」インクリメントする（ステップＳ３）。そして、パターンＰにおける第二番目の所定の長さＬ２が入力されると（ステップＳ４においてＹＥＳ）、制御手段９は記憶手段１０に所定の長さＬ２をパターンＰの第二番目のメモリーアドレスに記憶させる（ステップＳ５）。そして、ステップＳ６の処理に移り、以後、このステップＳ３からステップＳ６までの処理をパターンＰが完成するまで、すなわち、第Ｋ番目の所定の長さＬＫが入力され記憶されるまで、繰り返すこととになる。
【００３３】
第Ｋ番目の所定の長さＬＫが入力され記憶されたのちに、例えばサイズボタン２０の長押し入力があるとパターンＰが完成することになる（ステップＳ６においてＹＥＳ）。ここで、複数の所定の長さＬＫの順番は、所定の長さＬＫが入力された順番によって自動的に決定されることになり、このようにしてパターンＰが作成されることになる。
【００３４】
ステップＳ６においてパターンＰが完成したのちに、回数ボタン２１などにより利用者によってパターンＰを切断ユニット６が繰り返す回数Ｔが入力されると（ステップＳ７においてＹＥＳ）、制御手段９は記憶手段１０に回数Ｔを記憶させる（ステップＳ８）。なお、パターンＰを繰り返す回数Ｔが入力されない場合は（ステップＳ７においてＮＯ）、そのまま情報入力処理を終了する。このような情報入力処理を行うことにより、記憶手段１０に、複数の所定の長さと切断する順番とを関連付けたパターンＰと、パターンＰを引出ユニット５及び切断ユニット６に繰り返させる回数Ｔとが関連付けられて記憶されることになる。
【００３５】
次に、本実施形態のオートカッター１の切断処理の流れについて、図３（ｂ）に基づいて説明する。また、オートカッター１の切断処理を、利用者が物品の組み立て作業時に利用した場合についても合わせて説明する。なお、図３（ｂ）は、オートカッター１の切断処理の流れを示すフローチャートである。
【００３６】
制御手段９は、利用者によるリターンボタン２５の長押し入力があると切断モードを設定する（ステップＳ２０においてＹＥＳ）。そして制御手段９は、記憶手段１０からパターンＰ・回数Ｔを読み出し（ステップＳ２１）、回数カウンタＳｔをリセットする（ステップＳ２２）。また、回数カウンタＳｔがリセットされたのちに、回数カウンタＳｔを「１」インクリメントする（ステップＳ２３）。なお、リターンボタン２５の長押し入力がない場合は切断モードを設定しない（ステップＳ２０においてＮＯ）。
【００３７】
続いて、制御手段９は、順番カウンタＫをリセットする（ステップＳ２４）。また、順番カウンタＫがリセットされたのちに、順番カウンタＫを「１」インクリメントする（ステップＳ２５）。そして、制御手段９はパターンＰに含まれる第一番目の所定の長さＬ１に基づいて引出モータ１４を駆動させる（ステップＳ２６）。これにより、引出ローラ１３が駆動して粘着テープ２が所定の長さＬ１分だけ引き出されることになる。次に、制御手段９は、カッターモータ１７を駆動させる（ステップＳ２７）。これにより、カッター１６が駆動して粘着テープ２が所定箇所で切断され、所定の長さＬ１の粘着テープ２が作製されることになる。このとき、利用者によって、所定の長さＬ１の粘着テープ２が二枚のカッター１６付近から取り除かれると、センサー１８が二枚のカッター１６付近に粘着テープ２の存在が無いことを検知して（ステップＳ２５においてＹＥＳ）、ステップＳ２９の処理に移ることになる。一方、利用者は、所定の長さＬ１の粘着テープ２を、カッター１６付近から取り上げたのち、対象物品において貼るべき箇所に貼り付ける。
【００３８】
ステップＳ２９では、パターンＰの第Ｋ番目まで処理が行われパターンＰが終了したか否かを判断し、パターンＰが終了していない場合は（ステップＳ２９においてＮＯ）、ステップＳ２５の処理に戻り、順番カウンタＫを「１」インクリメントする（ステップＳ２５）。そして、パターンＰに含まれる第二番目の所定の長さＬ２に基づいて、引出モータ１４を駆動させる（ステップＳ２６）。これにより、引出ローラ１３が駆動して粘着テープ２が所定の長さＬ２分だけ引き出されることになる。次に、制御手段９は、カッターモータ１７を駆動させる（ステップＳ２７）。これにより、カッター１６が駆動して粘着テープ２が所定箇所で切断されることになる。このとき、利用者によって、所定の長さＬ２の粘着テープ２が二枚のカッター１６付近から取り除かれると、センサー１８が二枚のカッター１６付近に粘着テープ２の存在が無いことを検知して（ステップＳ２５においてＹＥＳ）、ステップＳ２９の処理に移ることになる。一方、利用者は、所定の長さＬ２の粘着テープ２を、カッター１６付近から取り上げたのち、対象物品において貼るべき箇所に貼り付ける。
【００３９】
この際、利用者が、所定の長さＬ１の粘着テープ２を対象物品の所定箇所に貼り付けている間に、所定の長さＬ２の粘着テープ２が作製されることになる。これにより、利用者は、所定の長さＬ１の粘着テープ２を対象物品の所定箇所に貼り付け終えるとすぐに、所定の長さＬ２の粘着テープ２をカッター１６付近から取り上げ、その粘着テープ２を対象物品の所定箇所に貼り付けることが可能となり、非常に効率的である。
【００４０】
以後、このステップＳ２５からステップＳ２９までの処理をパターンＰが終了するまで、すなわち、最終の第Ｋ番目の所定の長さＬＫが切断されカッター１６付近から取り除かれるまで、繰り返すこととになる。
【００４１】
このようにして、複数の所定の長さの粘着テープ２のセットが１セット作製されパターンＰが終了すると（ステップＳ２９においてＹＥＳ）、ステップＳ３０の処理に移る。一方、利用者は、一つの対象物品に対して所定の長さの粘着テープを順次貼り付けていき、一つの対象物品に対する粘着テープ２の貼付け作業を終えることになる。ステップＳ３０の処理では、回数カウンタＳｔが回数Ｔ未満であるか否かを判定し、満たされている場合は（ステップＳ３０においてＹＥＳ）、ステップＳ２３の処理に戻り、ステップＳ２３からステップＳ３０の処理を繰り返すことになる。一方、回数カウンタＳｔが回数Ｔ未満でない場合は（ステップＳ３０においてＮＯ）、切断処理を終了する。
【００４２】
これにより、複数の所定の長さの粘着テープ２のセットが、利用者が入力した回数Ｔに対応したセット分だけ利用者の作業に合わせて作製されることになる。また、利用者が一つの対象物品に対する粘着テープ２の貼付け作業を終え、次なる対象物品に対する粘着テープ２の貼付け作業に移る際に、オートカッター１ではパターンＰを自動的に再度最初から処理するため、面倒な操作を要せず、非常に効率的に作業を進めることが可能となる。
【００４３】
このように、本実施形態のオートカッター１によれば、記憶手段１０からパターンＰを読み出し、そのパターンＰに基づいて切断ユニット６が動作することになる。そして、制御手段９によって、切断ユニット６は、一つのパターンＰを繰り返すことになる。このため、本実施形態のオートカッター１では、一台で複数の長さの粘着テープ２のセットを自動的に作製することができる。また、複数の長さの粘着テープ２のセットを何組も自動的に作製できる。このため、利用者に対して煩わしさを感じさせることがなく、また、作業効率を高めることができる。また、オートカッター１では、各種物品の組み立てなどの流れ作業時において、作業に合わせて複数の所定の長さを有する粘着テープ２を何セットも作製することが可能であることから、このような場合に特に好適である。
【００４４】
また、本実施形態のオートカッター１によれば、制御手段９は、記憶手段１０からパターンＰとともに回数Ｔを読み出し、その回数Ｔに到達するまで、一つのパターンＰを引出モータ１４及びカッターモータ１７に繰り返して動作させることになる。このため、本実施形態のオートカッター１では、複数の長さの粘着テープ２のセットを予め定めた所定セットだけ作製することができる。このため、各種物品の組み立て作業時などに、作業を行う分だけの粘着テープ２のセットを自動的に作製することが可能となり、粘着テープを所定組より多く作製したり少なく作製したりする間違いを防止できる。
【００４５】
以上、本発明について最良の一実施形態を挙げて説明した。しかし、本発明はこの実施形態に限定されるものではない。以下に示すように、本発明の要旨を逸脱しない範囲において、種々の改良及び設計の変更が可能である。
【００４６】
１．本実施形態のオートカッター１では、情報入力処理において、パターンＰを引出モータ１４及びカッターモータ１７に繰り返させる回数Ｔを、パターンＰに関連付けて記憶手段１０に記憶するものを示した。しかし、これに特に限定されるものではなく、情報入力処理において、回数Ｔの設定を行わず、切断処理において、利用者によって操作部７から停止の指示があるまで、自動的にパターンを引出モータ１４及びカッターモータ１７に繰り返させるものであってもよい。
【００４７】
あるいは、情報入力処理において、回数Ｔの設定を行わず、切断処理において、例えば、ステップＳ２２で切断モードを設定したのちに、パターンＰを繰り返す回数Ｔを入力させて設定するものとしてもよい。これによれば、パターンＰと回数Ｔとが予め関連付けられていないことから、パターンＰを繰り返す回数Ｔをその都度変更することが可能となり、作業に応じて対応ができる。
【００４８】
２．本実施形態のオートカッター１では、引き出された粘着テープ２の長さを、回転計１５により引出モータ１４の回転数を検出することで測定するものを示し、この測定値がパターンＰの切断すべき長さと一致すると切断ユニット６を動作させて、所定の長さの粘着テープ２を得るものを示した。しかし、これに特に限定されるものではなく、回転計１５など引き出された粘着テープ２の長さを測定する手段を省略するとともに、制御手段９により引出モータ１４を動作させる際、引出モータ１４をパターンＰの切断すべき長さ分だけ動作させて、こののちに切断ユニット６を動作させて所定の長さの粘着テープ２を得るものであってもよい。これによれば、回転計１５などが省略されることから、構成が簡易となり、オートカッター１をより安価に製造できる。
【００４９】
３．本実施形態のオートカッター１では、パターンＰを一種類のみ記憶手段に記憶するものを示した。しかし、これに特に限定されるものではなく、情報入力処理において、複数のパターンＰを作成し、複数のパターンＰを記憶手段に記憶するものであってもよい。
【００５０】
４．本実施形態のオートカッター１では、リールユニット４に保持されている粘着テープ２を、引出ユニット５によって引き出すものを示した。しかし、これに特に限定されるものではなく、引出ユニット５の引出モータ１４及び引出ローラ１３などを省略するとともに、パターンＰの切断すべき長さで引き出される粘着テープ２を停止させる停止手段などを設け、利用者が粘着テープ２の端を持って引くことにより粘着テープ２の引き出しを行い、粘着テープ２がパターンＰの切断すべき長さまで引き出されると停止手段により粘着テープ２が停止し、そののちに切断ユニット６が動作するものであってもよい。これによれば、引出ユニット５の引出モータ１４及び引出ローラ１３などが省略されることから、構成が簡易となり、オートカッター１をより安価に製造できる。
【００５１】
５．本実施形態のオートカッター１では、センサー１８を設け、このセンサー１８が二枚のカッター１６の付近の粘着テープ２が無いことを検知すると、パターンＰの次に切断すべき長さの粘着テープ２を引き出すものを示した。しかし、これに特に限定されるものではなく、センサー１８などを省略し、利用者が操作部７を所定の操作して指示を行うと、パターンＰの次に切断すべき長さの粘着テープ２を引き出すものであってもよい。
【００５２】
６．本実施形態のオートカッター１は、パターンＰの切断する順番を一つ戻させたのち、再度、パターンＰに定められている順番で粘着テープ２を所定の長さに切断させる修正スイッチを操作部７にさらに備えるものであってもよい。これによれば、切断ユニット６が粘着テープ２を、パターンＰに定められている順番で所定の長さに切断中に、修正スイッチからの指示があると、それに基づいて、例えば、パターンＰの順番カウンタＫを一つ戻し、一つ前の順番から再度、パターンＰに定められている順番で所定の長さに切断することが可能となる。なお、例えば、修正スイッチからの指示が連続的に二回あればパターンＰの順番カウンタＫを二つ戻すといったように、修正スイッチからの指示の回数分だけパターンＰの切断する順番を戻すこともできる。
【００５３】
このように、パターンＰを基に粘着テープ２を切断している間、例えば、オートカッター１が誤動作を起こして正常に粘着テープ２が得られなかった場合、又は、利用者が粘着テープ２を対象物に貼り間違えた場合など、パターンＰに含まれる所定の長さの粘着テープ２がもう一度必要となった際に所望の粘着テープ２を容易に得ることができる。
【００５４】
本実施形態のように、センサー１８が二枚のカッター１６付近の粘着テープ２が無いことを検知すると、パターンＰの次に切断すべき長さの粘着テープ２を引き出すものの場合は、ステップＳ２６でパターンＰの次に切断すべき長さの粘着テープ２が完全に引き出され、ステップＳ２７で粘着テープ２が切断されたのちに、パターンＰの順番カウンタＫを「１」減少させるものとしてもよく、ステップＳ２６でパターンＰの次に切断すべき長さの粘着テープ２が引き出されてる途中で、引出ユニット５を停止させるとともに既に引き出された粘着テープ２を切断させて、こののちにパターンＰの順番カウンタＫを「１」減少させるものとしてもよい。
【００５５】
また、利用者が操作部７を操作して指示を行うと、パターンＰの次に切断すべき長さの粘着テープ２を引き出すものの場合は、操作部７において、パターンＰの次に切断すべき長さの粘着テープを引き出す指示を行う前に、パターンＰの切断する順番を戻る指示を行えばよい。
【産業上の利用可能性】
【００５６】
各種商品などの梱包や各種物品の組み立てなどの作業用途に利用できる。
【図面の簡単な説明】
【００５７】
【図１】本発明の一実施形態であるオートカッターの構成を示す斜視図である。
【図２】オートカッターの機能的構成を説明するブロック図である。
【図３】（ａ）オートカッターの情報入力処理の流れを示すフローチャート、（ｂ）オートカッターの切断処理の流れを示すフローチャートである。
【符号の説明】
【００５８】
１    オートカッター
２    粘着テープ
６    切断ユニット（切断手段）
９    制御手段（繰返し制御手段）
１０  記憶手段
１５  回転計（測定手段）
【図１】
2005154125.tif 000003
【図２】
2005154125.tif 000004
【図３】
2005154125.tif 000005